(57)【要約】【課題】写真用印画紙を用いた包装紙を作成する。【解決手段】結婚式で業者が撮影した画像データを、サービス業者用端末１３に内蔵された包装紙作成用のソフトウエアにより、新郎新婦が希望する包装紙用のフォーマットに合成し、包装紙用の画像データを作成する。この画像データを基にして、写真用印画紙がセットされているラボ機１５を用いてプリント行う。このようにして作成された熨斗紙２は引き出物の外周に取り付けられる。なお、引き出物を使用した際には、画像の部分を切り取ることで写真として保存できる。【選択図】        図２
2004315048.tif 000002
【特許請求の範囲】
【請求項１】
物品を包装するための包装紙が、画像がプリントされた厚み１００〜２００μｍの写真用印画紙からなることを特徴とする包装紙。
【請求項２】
前記写真用印画紙には、画像の他に熨斗紙用画像がプリントされることを特徴とする請求項１記載の包装紙。
【請求項３】
物品を包装するための包装紙の作成方法において、
ロール状に巻かれた厚み１００〜２００μｍの写真用印画紙に画像をプリントし、印画紙現像処理を行った後に写真用印画紙を所定の長さ毎に切断することを特徴とする包装紙の作成方法。
【請求項４】
前記写真用印画紙には、画像の他に熨斗紙用画像がプリントされることを特徴とする請求項３記載の包装紙の作成方法。
【発明の詳細な説明】
【０００１】
【発明の属する技術分野】
本発明は、物品を包装するための包装紙及びその作成方法に関するものである。
【０００２】
【従来の技術】
従来、結婚式やレセプション等の引き出物として、贈り主が選んだ商品を客人へ贈ることが一般的である。このような商品は、予め所定の絵柄やデザイン等が印刷により施された包装紙により包装されている。上記包装紙の場合、印刷された絵柄やデザイン等がありきたりなものになるため、最近ではオリジナルなデザインを施した包装紙を作成しようと考える贈り主が多いのが実状である。
【０００３】
【発明が解決しようとする課題】
しかしながら、結婚式やレセプションの引き出物等に用いられる包装紙をオリジナルで作成する際には、印刷を行うための原版を作成する手間や時間がかかるため、包装紙を作成する際の費用がかかりすぎるという問題の他に、前もって包装紙を作成しなくてはいけないため、結婚式やレセプションで得られた画像を、引き出物用の包装紙に用いることができないという問題がある。この問題を解決する方法として、例えばデジタルカメラで撮影した画像をインクジェットプリンタを用いてオリジナルの包装紙を作成することが考えられるが、撮影した画像をすぐに印刷することができる反面、プリントされた画像が経時変化により退色しやすいという問題もある。
【０００４】
本発明は、高画質な画像を用いることができるようにした包装紙、及びその作成方法を提供することを目的とする。
【０００５】
【課題を解決するための手段】
上記目的を達成するために、本発明の包装紙は、物品を包装するための包装紙が、画像がプリントされた厚み１００〜２００μｍの写真用印画紙からなるものである。この場合、前記写真用印画紙には、画像の他に熨斗紙用画像がプリントされることが好ましい。
【０００６】
また、包装紙の作成方法としては、ロール状に巻かれた厚み１００〜２００μｍの写真用印画紙に画像をプリントし、印画紙現像処理を行った後に写真用印画紙を所定の長さ毎に切断するものである。この場合、前記写真用印画紙には、画像の他に熨斗紙用画像がプリントされることが好ましい。
【０００７】
【発明の実施の形態】
図１は、引き出物に包装する包装紙として用いられる熨斗紙の正面図である。熨斗紙２には、幅２０．３ｍｍ、厚み１００〜２００μｍの写真用印画紙３が用いられる。この写真用印画紙３には、画像４（図１中２点鎖線で示す）がプリントされる他に、熨斗紙用画像５（図１中１点鎖線で示す）がプリントされ、その長さは引き出物３０の大きさに応じて任意の長さとなっている。このように画像がプリントされた熨斗紙２は、引き出物３０の所定位置に包装される（図５参照）。なお、写真用印画紙３にプリントされる画像４は、単数又は複数のいずれかでよいものとする。また、熨斗紙用画像５の内容は、予め決定されたものでもよいし、オリジナルで作成されたものであってもよい。
【０００８】
図２は、このような熨斗紙２を作成する手順を示す説明図である。例えば結婚式が行われた際に結婚式場の業者１０は新郎新婦や新郎新婦の家族、友人等の写真撮影を行う。例えばネガフイルム１１を用いて写真撮影を行った場合には、業者１０は画像読取装置１２を用いて、ネガフイルム１１から画像の読み取りを行って、デジタル画像データを作成する（図２中矢印Ａで示す手順）。その後、図３に示すように、サービス業者用端末１３に内蔵された画像生成ソフトを起動させ、複数の包装紙用フォーマットから新郎新婦の希望する包装紙用フォーマットを選択する。そして、この包装紙用フォーマットにデジタル画像データを合成し、包装紙用の画像データを作成する。この際、結婚式が行われる前に、業者１０の方で新郎新婦が希望する包装紙用のフォーマットや画像データの聞き取りを行っていれば、業者１０は簡単に包装紙用の画像データを作成することができる。なお、完成した包装紙用の画像データをモニター等により表示することで、作成した画像データを確認することができる。なお、デジタルカメラを用いて写真撮影を行った場合には、デジタル画像データが得られているから、サービス業者用端末１３で例えばメモリーカード等の記録媒体１４からデジタル画像データの読み取りを行った後に、包装紙用の画像データを作成する（図２中矢印Ｂで示す手順）。
【０００９】
その後、業者１０は作成された包装紙用の画像データを用いて、式場となる建物の内部に配設されたラボ機１５でデジタルプリントを行う。図４に示すように、ラボ機１５には、写真用印画紙３が巻き取られた印画紙ロール２０がセットされており、プリントを実行する際には、この印画紙ロール２０から写真用印画紙３が送り出される。そして、送り出された写真用印画紙３は、プリントヘッド２１による露光処理、現像処理部２２による現像処理が行われる。そして、カッタ２３により所定の長さに裁断され、トレイ２４に排出される。図５に示すように、完成したオリジナルの熨斗紙２を引き出物３０に包装する。これにより、オリジナルの熨斗紙２を簡単に、且つ迅速に作成することができる。なお、図６に示すように、熨斗紙２を引き出物３０から取り外した後にプリントされた画像４を切り抜くと、写真として使用することができる。
【００１０】
本実施形態では、引き出物用の熨斗紙の実施例について説明したが、これに限定する必要はなく、種々の用途に用いることが可能である。
【００１１】
【発明の効果】
以上のように、本発明によれば、物品を包装するための包装紙が、画像がプリントされた厚み１００〜２００μｍの写真用印画紙からなるから、インクジェットプリンタでプリントされた包装紙のように経時による退色を防止することができる。
【００１２】
また、本発明の包装紙の作成方法によれば、ロール状に巻かれた厚み１００〜２００μｍの写真用印画紙に画像をプリントし、印画紙現像処理を行った後に写真用印画紙を所定の長さ毎に切断するから、印刷を行う際に使用される原版を作成する必要がなくなるとともに、結婚式やレセプション等で得られた画像データから簡単に包装紙を作ることができる。
【図面の簡単な説明】
【図１】熨斗紙の仕様を示す平面図である。
【図２】熨斗紙を作成する際の流れを示す説明図である。
【図３】包装紙用の画像データを作成する手順を示すフローチャートである。
【図４】ラボ機の内部構成の概略を示す説明図である。
【図５】引き出物に熨斗紙を包装した場合の一例を示す斜視図である。
【図６】熨斗紙から画像を切り抜きすることで、写真として保存する場合の一例を示す平面図である。
【符号の説明】
２  熨斗紙
３  写真用印画紙
４  画像
５  熨斗紙用画像
１０  業者
１２  画像読取装置
１３  サービス業者用端末
１５  ラボ機
【図１】
2004315048.tif 000003
【図２】
2004315048.tif 000004
【図３】
2004315048.tif 000005
【図４】
2004315048.tif 000006
【図５】
2004315048.tif 000007
【図６】
2004315048.tif 000008